(57)【特許請求の範囲】
【請求項１】
映像を表示する表示パネルと、該表示パネルの後側に配置され、入射光を前記表示パネルに向けて出射する導光板と、該導光板の後側に配置された後キャビネットと、前記表示パネルの前側に配置された前キャビネットとを備える表示装置において、
前記表示パネル及び導光板を前記前キャビネット及び後キャビネットによって前後から挟持してあり、
前記前キャビネットは枠状をなし、内縁部分にて前記導光板及び表示パネルを支持しており、
前記後キャビネットにおける前記内縁部分に対向する部分が前側に突出していること
を特徴とする表示装置。
【請求項２】
前記表示パネル及び前キャビネットの間に弾性部材を介装してあることを特徴とする請求項１に記載の表示装置。
【請求項３】
光の通過を遮断する遮光部を前記表示パネルの周縁に沿って配置してあり、
前記前キャビネット及び後キャビネットは、前記遮光部を配置した箇所又は前記遮光部よりも前記表示パネルの周縁側で前記表示パネルを挟持するようにしてあること
を特徴とする請求項１又は２に記載の表示装置。
【請求項４】
前記前キャビネットにおける前記導光板の周面に対向する部分が導光板側に突出しており、
前記前キャビネットにおける前記導光板の周面に対向する部分に光源を設けてあること
を特徴とする請求項１から３のいずれか一つに記載の表示装置。
【請求項５】
前記光源は発光ダイオードであることを特徴とする請求項４に記載の表示装置。
【請求項６】
請求項１から５のいずれか一つに記載された表示装置と、放送波を受信するチューナとを備え、
該チューナにて受信した放送波に基づいて前記表示装置に映像を表示するようにしてあること
を特徴とするテレビ受信装置。
【発明の詳細な説明】
【技術分野】
【０００１】
本発明は導光板から表示パネルに光を出射して映像を表示する表示装置及び該表示装置を備えるテレビ受信装置に関する。
【背景技術】
【０００２】
表示画面の大きさに比べて室内の占有面積が小さい薄型の表示装置（例えば液晶表示装置）は、限られた室内空間を有効に利用することができることから、一般に広く普及している。液晶表示装置は、前キャビネットの内側に配置された映像を表示する液晶表示パネルに、後キャビネットに収容してある光源から光を出射し、映像を表示するように構成されている。
【０００３】
特許文献１には、液晶パネルの後側に導光板を配置し、該導光板から液晶パネルに光を出射する液晶表示装置が開示してある。液晶パネルは、ベゼルとキャリッジフレームとによって挟持してあり、導光板は、キャリッジフレームと裏面カバーとによって挟持してある。
【先行技術文献】
【特許文献】
【０００４】
【特許文献１】特開２００６−３３０５９９号公報
【発明の概要】
【発明が解決しようとする課題】
【０００５】
特許文献１に記載の液晶表示装置は導光板及び液晶パネルの間にキャリッジフレームを配置しているため、導光板及び液晶パネルの間に空間が発生する。この空間は映像を表示するために必要不可欠なものではなく、むしろ液晶表示装置の薄型化を妨げる。
【０００６】
本発明は斯かる事情を鑑みてなされたものであり、導光板及び表示パネル間の寸法を短縮し、薄型の表示装置及び該表示装置を備えるテレビ受信装置を提供することを目的とする。
【課題を解決するための手段】
【０００７】
本発明に係る表示装置は、映像を表示する表示パネルと、該表示パネルの後側に配置され、入射光を前記表示パネルに向けて出射する導光板と、該導光板の後側に配置された後キャビネットと、前記表示パネルの前側に配置された前キャビネットとを備える表示装置において、前記表示パネル及び導光板を前記前キャビネット及び後キャビネットによって前後から挟持してあり、前記前キャビネットは枠状をなし、内縁部分にて前記導光板及び表示パネルを支持しており、前記後キャビネットにおける前記内縁部分に対向する部分が前側に突出していることを特徴とする。
【０００８】
本発明においては、表示パネル及び導光板の間に支持部材を介在させずに、前キャビネット及び後キャビネットによって表示パネル及び導光板を前後から挟持し、導光板及び表示パネル間の寸法を短縮する。また前キャビネット及び後キャビネットにおける互いに対向する部分の前後幅が狭くなり、この狭くなった部分で導光板及び表示パネルを挟持するので、挟持力が向上し、導光板及び表示パネルは所定位置にて固定される。
【０００９】
本発明に係る表示装置は、前記表示パネル及び前キャビネットの間に弾性部材を介装してあることを特徴とする。
【００１０】
本発明においては、表示パネル及び前キャビネットの間に弾性部材を介装し、前キャビネットから表示パネルへの押圧力を分散させ、表示パネルの損傷及び歪みを防止する。
【００１７】
本発明に係る表示装置は、光の通過を遮断する遮光部を前記表示パネルの周縁に沿って配置してあり、前記前キャビネット及び後キャビネットは、前記遮光部を配置した箇所又は前記遮光部よりも前記表示パネルの周縁側で前記表示パネルを挟持するようにしてあることを特徴とする。
【００１８】
本発明においては、遮光部又は遮光部よりも外側（表示パネルの周縁側）で表示パネルを挟持するので、挟持によって表示パネルに歪みが生じた場合でも、遮光部よりも内側に表示される映像に影響は生じない。
【００１９】
本発明に係る表示装置は、前記前キャビネットにおける前記導光板の周面に対向する部分が導光板側に突出しており、前記前キャビネットにおける前記導光板の周面に対向する部分に光源を設けてあることを特徴とする。
【００２０】
本発明においては、光源が導光板の周面に接近するので、光源から出射された光を導光板に確実に入射させて、表示パネルの輝度を向上させる。
【００２１】
本発明に係る表示装置は、前記光源は発光ダイオードであることを特徴とする。
【００２２】
本発明においては、発光ダイオードを光源に使用することによって、蛍光管に比べて発光までの反応速度が向上し、精緻な輝度制御を実現することができる。
【００２３】
本発明に係るテレビ受信装置は、上述したいずれか一つの表示装置と、放送波を受信するチューナとを備え、該チューナにて受信した放送波に基づいて前記表示装置に映像を表示するようにしてあることを特徴とする。
【００２４】
本発明においては、上述した表示装置をテレビ受信装置に使用することによって、薄型のテレビ受信装置を実現する。
【発明の効果】
【００２５】
本発明に係る表示装置及びテレビ受信装置にあっては、表示パネル及び導光板の間に支持部材を介在させずに、前キャビネット及び後キャビネットによって表示パネル及び導光板を前後から挟持するので、導光板及び表示パネル間の寸法が短縮され、装置の薄型化を実現することができる。
【図面の簡単な説明】
【００２６】
【図１】実施の形態１に係るテレビ受信装置を略示する斜視図である。
【図２】テレビ受信装置を部分的に略示する縦断面図である。
【図３】前キャビネットの一部を略示する斜視図である。
【図４】実施の形態２に係るテレビ受信装置を部分的に略示する縦断面図である。
【図５】テレビ受信装置を部分的に略示する縦断面図である。
【図６】実施の形態３に係るテレビ受信装置の前キャビネットの一部を略示する斜視図である。
【図７】実施の形態４に係るテレビ受信装置を部分的に略示する縦断面図である。
【図８】前キャビネットの製造工程を説明する説明図である。
【発明を実施するための形態】
【００２７】
（実施の形態１）
以下本発明を実施の形態１に係るテレビ受信装置を示す図面に基づいて詳述する。図１はテレビ受信装置を略示する斜視図である。
【００２８】
図において１はテレビ受信装置であり、該テレビ受信装置１は、映像を表示する表示装置１００と、該表示装置１００内に配設してあり、アンテナ（不図示）から放送波を受信するチューナ２００と、表示装置１００内に配設してあり、符号化された放送波を復号するデコーダ３００とを備える。テレビ受信装置１は、チューナ２００にて受信した放送波をデコーダ３００で復号し、復号した情報に基づいて表示装置１００に映像を表示する。なおチューナ２００及びデコーダ３００を表示装置１００の外部に設けて、表示装置１００に接続してもよい。テレビ受信装置１の下部に、テレビ受信装置１を支持するスタンド４００が設けてある。
【００２９】
表示装置１００は液晶を有する矩形の表示パネル１０を備えており、該表示パネル１０は液晶への印加電圧を制御して光の透過率を調整するように構成されている。表示パネル１０は、前後に配置された前キャビネット２０及び後キャビネット３０において、縦向きに収容されている。前キャビネット２０は矩形の枠状をなし、その中央部に矩形の開口２０ａを有する。前キャビネット２０は、例えばアルミニウム部材からなる。後キャビネット３０は、前側が開放された矩形のトレイ状をなし、例えば電気亜鉛めっき鋼板からなる。前キャビネット２０及び後キャビネット３０を金属にすることによって、効率の良い放熱を実現し、また両者の熱膨張係数の差を小さくして歪みの発生を防止することができる。なお前キャビネット２０及び後キャビネット３０を樹脂部材によって構成してもよい。
【００３０】
前キャビネット２０及び後キャビネット３０の上下及び左右寸法は略同じであり、互いの周縁部分が対向する。表示パネル１０の上下及び左右寸法は、前記開口２０ａよりも若干大きく、表示パネル１０の周縁部分は前キャビネット２０の内縁部分に対向している。
【００３１】
図２はテレビ受信装置１を部分的に略示する縦断面図、図３は前キャビネット２０の一部を略示する斜視図である。
【００３２】
前キャビネット２０は、中央部に開口２０ａを有し、前面を露出した矩形板状の前枠部２１と、該前枠部２１の外縁部分（開口２０ａと反対側の縁部分）から後側に突出した突出部２２とを備える。前枠部２１における開口２０ａの縁部分が後側に屈曲しており、この屈曲した部分の周囲に表示パネル１０の損傷を防止する弾性部材１４が設けてある。弾性部材１４は樹脂部材（例えば高密度マイクロセルウレタンフォーム、ゴム又はエラストマーなど）からなる。弾性部材１４は開口２０ａの縁部分に沿って連続的に又は断続的に配置してある。前枠部２１及び突出部２２が連なる角部分の内部に、開口２０ａの全周に沿って空洞２０ｂが連続的に又は断続的に設けてある。突出部２２の周面２２ａ（開口２０ａと反対側の面）は露出しており、開口２０ａの縁に沿う複数の溝２２ｂ、２２ｂ、・・・、２２ｂが周面２２ａに形成してある。
【００３３】
空洞２０ｂによって、後述するＬＥＤにて発生した熱は前キャビネット２０の前側の角部分に伝達し難くなり、ユーザが前記角部分に触れた場合における熱に対する安全性を確保することができる。また複数の溝２２ｂ、２２ｂ、・・・、２２ｂによって、前キャビネット２０の露出した表面積が溝２２ｂを形成しない場合に比べて大きくなり、放熱効率が向上する。
【００３４】
突出部２２には前側を底にして窪んでおり、後キャビネット３０を係止する係止溝２２ｃが周面２２ａに沿って設けてある。該係止溝２２ｃの隣に、前側を底にして窪んでおり、ねじ５０を挿入する挿入溝２２ｄが係止溝２２ｃに沿って設けてある。係止溝２２ｃ及び挿入溝２２ｄは、突出部２２において周面２２ａ側及び開口２０ａ側にそれぞれ形成してある。
【００３５】
突出部２２の内面（開口２０ａ側の面）の前部分に、後部分に比べて内側（開口２０ａ側）に突出しており、光源を載置する光源載置部２２ｅが形成してある。該光源載置部２２ｅに光源ユニット１５が固定してある。光源ユニット１５は、光源載置部２２ｅ上に設けられた細長い矩形の基板１５ａと、該基板１５ａにおける光源載置部２２ｅと反対側の面に並設された複数のＬＥＤ (Light Emitting Diode：発光ダイオード) １５ｂ、１５ｂ、・・・、１５ｂとを備える。ＬＥＤ１５ｂは基板１５ａの長手方向に沿って配置してある。
【００３６】
基板１５ａは熱伝導性の高い両面テープによって光源載置部２２ｅに接着してあり、更にねじによって固定されている。なお両面テープ又はねじのいずれかで光源載置部２２ｅに基板１５ａを固定してもよい。またＬＥＤ１５ｂは、導光板１１に光を射出する光源の一例であり、例えば電球、熱陰極蛍光灯、ＥＬ（Electro Luminescence）、冷陰極管等でもよい。
【００３７】
表示パネル１０は前枠部２１よりも後側に位置している。表示パネル１０の周縁部分は弾性部材１４を介して前枠部２１の内側縁部に対向している。表示パネル１０の周縁部分の内部には、光の通過を遮断する遮光部１０ａが周設してある。遮光部１０ａは開口２０ａの外側に位置する部分を有しており、該部分は、弾性部材１４の開口２０ａ側部分に対向している。弾性部材１４における開口２０ａ側と反対側の部分は遮光部１０ａよりも外側に位置する。
【００３８】
表示パネル１０の後側に、表示パネル１０に対向する矩形の導光板１１が設けてある。該導光板１１の上下及び左右寸法は表示パネル１０よりも若干大きい。導光板１１の前後位置はＬＥＤ１５ｂと略同じであり、導光板１１の周面はＬＥＤ１５ｂに対向し、接近している。導光板１１の前面に、導光板１１の前面から出射された光を均一に拡散する矩形の拡散シート１２と、該拡散シート１２によって拡散された光を表示パネル１０へ向けて集光する矩形の光学シート１３とが順に設けてある。光学シート１３は表示パネル１０の後面に近接している。拡散シート１２及び光学シート１３の上下及び左右寸法は、導光板１１よりも小さい。
【００３９】
導光板１１の後面には、入射光を前方に向けて反射するための反射シート１６が設けてある。該反射シート１６の上下及び左右寸法は、導光板１１よりも大きい。ＬＥＤ１５ｂから発せられた光は導光板１１の周面に入射し、反射シート１６及び導光板１１内部で反射して、導光板１１の前面から出射される。出射された光は、拡散シート１２及び光学シート１３を通過して表示パネル１０に至る。
【００４０】
導光板１１の後側に後キャビネット３０が設けてある。該後キャビネット３０は前側が開放された矩形のトレイ状をなし、縦向きに配置してある。後キャビネット３０の中央部分には、前側に突出した凹部３１が形成してある。該凹部３１の底部分３１ａは導光板１１に略平行な板状をなし、反射シート１６に対向し且つ近接している。底部分３１ａの上下及び左右寸法は前記開口２０ａと略同じである。底部分３１ａの周縁部分は前記開口２０ａの縁部分（後側に屈曲した部分）に対向し、弾性部材１４よりも内側（開口２０ａ側）に位置する。前記凹部３１の側面部分３１ｂは底部分３１ａに連なり、底部分３１ａから後方に向けて拡開するように傾斜している。底部分３１ａ及び側面部分３１ｂが連なった部分は、前後方向において遮光部１０ａに対向する。
【００４１】
側面部分３１ｂの後端は挿入溝２２ｄ及び係止溝２２ｃよりも後側に位置している。側面部分３１ｂの後端には底部分３１ａに略平行な板状の周縁部分３２が連なり、該周縁部分３２は係止溝２２ｃまで延出している。
【００４２】
周縁部分３２の延出端部には、前側に突出しており、係止溝２２ｃに係止する板状の係止部分３３が連なる。該係止部分３３は係止溝２２ｃに挿入してあり、係止溝２２ｃに係止している。周縁部分３２において、挿入溝２２ｄに対向する箇所にねじ５０を挿入する挿入孔３２ａが貫通して設けてある。該挿入孔３２ａにねじ５０が挿入してあり、該ねじ５０は挿入溝２２ｄにタッピングによって螺合している。
【００４３】
ねじ５０の螺合によって、底部分３１ａ及び開口２０ａの縁部分は弾性部材１４を介して表示パネル１０及び導光板１１を押圧する。そのため表示パネル１０及び導光板１１の間に支持部材を介在させることなく、前キャビネット２０及び後キャビネット３０によって表示パネル１０及び導光板１１を前後から挟持し、導光板１１及び表示パネル１０間の寸法を短縮することができ、薄型の表示装置１００及びテレビ受信装置１を製造することができる。
【００４４】
また表示パネル１０及び前キャビネット２０の間に弾性部材１４を介装し、前キャビネット２０から表示パネル１０への押圧力を分散させ、表示パネル１０に損傷及び歪みが発生することを防止することができる。
【００４５】
また少なくとも底部分３１ａと開口２０ａの縁部分との間の前後幅が他の箇所に比べて狭いので、この狭くなった部分で導光板１１及び表示パネル１０を挟持することによって、挟持力が向上し、導光板１１及び表示パネル１０を所定位置で固定することができる。
【００４６】
また弾性部材１４を介して遮光部１０ａ又は遮光部１０ａの外側で表示パネル１０を挟持するので、挟持によって表示パネル１０に歪みが生じたとしても、歪みは遮光部１０ａ付近に止まる。そのため遮光部１０ａよりも内側に表示される映像に歪みによる影響は生じない。またＬＥＤ１５ｂが導光板１１の周面に接近するので、ＬＥＤ１５ｂから出射された光は確実に導光板１１に入射し、表示パネル１０の輝度を向上させることができる。またＬＥＤ１５ｂを光源に使用することによって、蛍光管に比べて発光までの反応速度が向上し、精緻な輝度制御を実現することができる。
【００４７】
実施の形態１にあっては、挿入溝２２ｄにねじ５０を螺合することによって、前キャビネット２０及び後キャビネット３０を連結しているが、前キャビネット２０及び後キャビネット３０の連結手段はこれに限定されない。例えば前キャビネット２０に挿入溝２２ｄを形成せずに、前キャビネット２０の平面部分にねじ５０を螺合してもよい。光源ユニット１５は矩形の前キャビネット２０の少なくとも一辺に設けられる。例えば光源ユニット１５を前キャビネット２０の四辺に設けるか又は対向する二辺に設ける。
【００４８】
（実施の形態２）
以下本発明を実施の形態２に係るテレビ受信装置１を示す図面に基づいて詳述する。
図４はテレビ受信装置１を部分的に略示する縦断面図である。図４に示すように、後キャビネット３０において凹部３１の底部分３１ａの周縁部分は前記弾性部材１４に対向する。底部分３１ａの周縁部分及び弾性部材１４（開口２０ａの縁部分）は、前後方向に直交する方向において同じ位置に存在する。そのためねじ５０を挿入溝２２ｄに螺合した場合、底部分３１ａの周縁部分と開口２０ａの縁部分との間で、表示パネル１０及び導光板１１それぞれに正反対の力が前後に作用する（図４に示す矢印参照）。表示パネル１０及び導光板１１は強固な力によって前後から挟持され、安定に支持される。
【００４９】
実施の形態２に係るテレビ受信装置１の内、実施の形態１と同様な構成については同じ符号を付し、その詳細な説明を省略する。
【００５０】
（実施の形態３）
以下本発明を実施の形態３に係るテレビ受信装置１を示す図面に基づいて詳述する。図５はテレビ受信装置１を部分的に略示する縦断面図、図６はテレビ受信装置１の前キャビネット２０の一部を略示する斜視図である。
【００５１】
図５及び図６に示すように、前キャビネット２０の前枠部２１には、開口２０ａと光源載置部２２ｅとの間において後方に突出しており、導光板１１を押圧する押圧部２１ａが形成してある。該押圧部２１ａは、導光板１１の縁部分に対向するように配置してある。押圧部２１ａの突出端部には、弾性部材１７、反射シート１８（反射部材）が順に設けてあり、押圧部２１ａは弾性部材１７及び反射シート１８を介して、導光板１１を前側から後側に押圧している。弾性部材１７は樹脂部材（例えば高密度マイクロセルウレタンフォーム、ゴム又はエラストマーなど）からなる。
【００５２】
開口２０ａの縁部分が表示パネル１０及び導光板１１を前側から後側に押圧し、更に押圧部２１ａが導光板１１を前側から押圧するので、導光板１１に対する挟持力が向上し、導光板１１を所定位置で安定的に固定することができる。また押圧部２１ａの突出端部（導光板１１に直接接触する部分）に反射シート１８を設けているので、押圧部２１ａに押圧されている箇所で光が確実に反射し、表示パネル１０の輝度を向上させることができる。また弾性部材１７によって、押圧部２１ａの突出端部から導光板１１への押圧力が分散するので、導光板１１の損傷及び歪みの発生を防止することができる。なお弾性部材１７が透光性を有する部材で構成してある場合、弾性部材１７及び反射シート１８を反射シート１８、弾性部材１７の順で押圧部２１ａの突出端部に設けてもよい。
【００５３】
実施の形態３に係るテレビ受信装置１の内、実施の形態１又は２と同様な構成については同じ符号を付し、その詳細な説明を省略する。
【００５４】
（実施の形態４）
以下本発明を実施の形態４に係るテレビ受信装置１を示す図面に基づいて詳述する。図７はテレビ受信装置１を部分的に略示する縦断面図である。
【００５５】
図７に示すように、後キャビネット３０において凹部３１の底部分３１ａの周縁部分は押圧部２１ａに対向する。底部分３１ａの周縁部分及び押圧部２１ａは、前後方向に直交する方向において同じ位置に存在する。そのためねじ５０を挿入溝２２ｄに螺合した場合、底部分３１ａの周縁部分と押圧部２１ａとの間で、導光板１１に正反対の力が前後に作用する（図７に示す白抜き矢印参照）。導光板１１は強固な力によって前後から挟持され、安定に支持される。また底部分３１ａと開口２０ａの縁部分との間で、表示パネル１０及び導光板１１それぞれに正反対の力が前後に作用し（図７に示す矢印参照）、白抜き矢印にて示される力と併せて表示パネル１０及び導光板１１を強力に固定することができる。
【００５６】
後キャビネット３０は、凹部３１を形成することによって、後キャビネット３０の中央部から押圧部２１ａに対向する箇所まで前側に突出している。そのため少なくとも開口２０ａの縁部分から押圧部２１ａに至るまで、前キャビネット２０及び後キャビネット３０の前後幅は狭い。この狭くなった部分で導光板１１及び表示パネル１０を挟持することができるので、上述したように導光板１１及び表示パネル１０を前後から二箇所で強力に挟持し、導光板１１及び表示パネル１０を所定位置にて確実に固定することができる。
【００５７】
実施の形態４に係るテレビ受信装置１の内、実施の形態１から３と同様な構成については同じ符号を付し、その詳細な説明を省略する。
【００５８】
実施の形態１〜４において、前キャビネット２０は例えば以下のようにして製造される。図８は前キャビネット２０の製造工程を説明する説明図である。図８Ａに示すように、細長い二つの長杆体１２１、１２１と該長杆体１２１よりも短い短杆体二つの１２２、１２２を準備する。長杆体１２１及び短杆体１２２は押出成形によって製造される。なお長杆体１２１及び短杆体１２２は、引き抜き成形、射出成形又はプレス成形など他の方法で製造してもよい。
【００５９】
長杆体１２１及び短杆体１２２はいずれも図２、図４、図５又は図７に示す断面構造を有している。長杆体１２１及び短杆体１２２の各両端面は長さ方向に対して交差した傾斜面をなす。長杆体１２１及び短杆体１２２のいずれにおいても、長さ方向に対する両端の傾斜面の傾斜角度は略同じであり、傾斜方向は互いに逆向きである。例えば一方の傾斜面の傾斜角度及び傾斜方向がプラス３０度であれば、他方はマイナス３０度である。長杆体１２１及び短杆体１２２の傾斜面の傾斜角度はいずれも略同じである。長杆体１２１、１２１を互いに対向させて配置し、短杆体１２２、１２２を互いに対向させ且つ長杆体１２１、１２１に直交させて配置する。このとき長杆体１２１及び短杆体１２２の各端面を対向させる。
【００６０】
図８Ｂに示すように、長杆体１２１及び短杆体１２２の各端面を接合し、前キャビネット２０を製造する。なお長杆体１２１及び短杆体１２２の接合は公知の接合手段によって実現される。例えば長杆体１２１及び短杆体１２２の接合部分に金具を設けてねじ止めする。長杆体１２１及び短杆体１２２が金属製であれば、溶接によって接合してもよい。長杆体１２１及び短杆体１２２の少なくとも一方が樹脂部材からなる場合は、高周波融着によって接合してもよい。なお前キャビネット２０の製造方法は上述した方法に限定されない。例えば射出成形によって前キャビネット２０全体を一体成形してもよい。
【００６１】
以上説明した実施の形態は本発明の例示であり、本発明は特許請求の範囲に記載された事項及び特許請求の範囲の記載に基づいて定められる範囲内において種々変更した形態で実施することができる。
【符号の説明】
【００６２】
１  テレビ受信装置
１０  表示パネル
１０ａ  遮光部
１１  導光板
１２  拡散シート
１３  光学シート
１４、１７  弾性部材
１５  光源ユニット
１５ｂ  ＬＥＤ（光源、発光ダイオード）
１６、１８  反射シート（反射部材）
２０  前キャビネット
２１ａ  押圧部
３０  後キャビネット
１００  表示装置
２００  チューナ
【図１】
0005189702.tif 000002
【図２】
0005189702.tif 000003
【図３】
0005189702.tif 000004
【図４】
0005189702.tif 000005
【図５】
0005189702.tif 000006
【図６】
0005189702.tif 000007
【図７】
0005189702.tif 000008
【図８】
0005189702.tif 000009